(57)【要約】  突入電流による誤動作を防止することができる空気調和機を得ることを目的とし、交流電源３からの突入電流を防止する突入電流防止抵抗９と、突入電流防止抵抗９に直列接続された第１のリレーであるリレーａ動作部６と、突入電流防止抵抗９及び第１のリレーであるリレーａ動作部６に並列接続された第２のリレーであるリレーｂ動作部８と、第１のリレーであるリレーａ動作部６のオンオフを制御する室内制御部２１と、第２のリレーであるリレーｂ動作部８のオンオフを制御する室外制御部１８とを備え、室外制御部１８は、交流電源３から第１のリレーであるリレーａ動作部６を経由して電力が供給されている場合に第２のリレーであるリレーｂ動作部８をオンする。
2017119084.tif 000002
【特許請求の範囲】
【請求項１】
交流電源からの突入電流を防止する突入電流防止抵抗と、
前記突入電流防止抵抗に直列接続された第１のリレーと、
前記突入電流防止抵抗及び前記第１のリレーに並列接続された第２のリレーと、
前記第１のリレーのオンオフを制御する室内制御部と、
前記第２のリレーのオンオフを制御する室外制御部とを備え、
前記室外制御部は、前記交流電源から前記第１のリレーを経由して電力が供給されている場合に前記第２のリレーをオンすることを特徴とする空気調和機。
【請求項２】
前記交流電源からの入力信号がゼロレベルを交差したことを検出するとゼロクロス信号を出力するゼロクロス検出回路を備え、
前記室外制御部は、前記ゼロクロス信号を検出すると前記交流電源から前記第１のリレーを経由して電力が供給されていると判定することを特徴とする請求項１に記載の空気調和機。
【請求項３】
前記室外制御部との間でシリアル信号を入出力する室外通信部を備え、
前記室外制御部は、前記シリアル信号を検出すると前記交流電源から前記第１のリレーを経由して電力が供給されていると判定することを特徴とする請求項１に記載の空気調和機。
【請求項４】
前記交流電源からの入力信号がゼロレベルを交差したことを検出するとゼロクロス信号を出力するゼロクロス検出回路と、
前記室外制御部との間でシリアル信号を入出力する室外通信部とを備え、
前記室外制御部は、前記ゼロクロス信号及び前記シリアル信号の双方を検出すると前記交流電源から前記第１のリレーを経由して電力が供給されていると判定することを特徴とする請求項１に記載の空気調和機。
【請求項５】
母線電圧を検出して母線電圧検出値を出力する母線電圧検出回路を備え、
前記室外制御部は、前記母線電圧検出値が設定値以上である場合に前記交流電源から前記第１のリレーを経由して電力が供給されていると判定することを特徴とする請求項１に記載の空気調和機。
【発明の詳細な説明】
【技術分野】
【０００１】
本発明は、室内機及び室外機を備える空気調和機に関する。
【背景技術】
【０００２】
従来の空気調和機では、運転待機時の待機電力の削減のために運転待機時の通電をなくすようにリレーを設け、このリレーをオフすることで交流電源を遮断して運転待機時の電力消費を抑えている。【０００３】
このような技術の一例である特許文献１には、「待機電力を低減することができる空気調和機を得る」ことを課題とし、「室内機２は、電源線８と信号線１６との接続を開閉する室外起動リレー２２と、室外起動リレー２２を動作させ、信号線１６と電源信号共通線９との間に商用電源７を供給させる室内制御部５とを備え、室内制御部５は、運転待機時に電源線８と電源信号共通線９との接続を開放させる」空気調和機が開示されている。
【先行技術文献】
【特許文献】
【０００４】
【特許文献１】特開２０１０−２４３０５１号公報
【発明の概要】
【発明が解決しようとする課題】
【０００５】
しかしながら、上記従来の技術によれば、外風の発生時には逆起電力により母線電圧が生成され、この母線電圧によって室外機側の制御部がオンすると、突入電流防止リレーをオンさせることなく室外リレーをオンしてしまうおそれがある。そのため、突入電流防止抵抗が設けられているにも関わらず突入電流を防止することができず、誤動作しかねない、という問題があった。【０００６】
本発明は、上記に鑑みてなされたものであって、突入電流による誤動作を防止することができる空気調和機を得ることを目的とする。
【課題を解決するための手段】
【０００７】
上述した課題を解決し、目的を達成するために、本発明に係る空気調和機は、交流電源からの突入電流を防止する突入電流防止抵抗と、この突入電流防止抵抗に直列接続された第１のリレーと、突入電流防止抵抗及び第１のリレーに並列接続された第２のリレーと、第１のリレーのオンオフを制御する室内制御部と、第２のリレーのオンオフを制御する室外制御部とを備え、室外制御部は、交流電源から第１のリレーを経由して電力が供給されている場合に第２のリレーをオンすることを特徴とする。
【発明の効果】
【０００８】
本発明に係る空気調和機は、突入電流による誤動作を防止することができるという効果を奏する。
【図面の簡単な説明】
【０００９】
【図１】実施の形態１に係る空気調和機の電装系統の構成の一例を示す図
【図２】実施の形態１に係る空気調和機の室外制御部の構成の一例を示す図
【図３】実施の形態１に係る空気調和機の動作を示すフローチャート
【図４】実施の形態２に係る空気調和機の室外制御部の構成の一例を示す図
【図５】実施の形態２に係る空気調和機の動作を示すフローチャート
【図６】実施の形態３に係る空気調和機の室外制御部の構成の一例を示す図
【図７】実施の形態３に係る空気調和機の動作を示すフローチャート
【図８】実施の形態４に係る空気調和機の室外制御部の構成の一例を示す図
【図９】実施の形態４に係る空気調和機の動作を示すフローチャート
【図１０】実施の形態１から４における室外制御部を実現するハードウエアの一般的な構成の一例を示す図
【発明を実施するための形態】
【００１０】
以下に、本発明の実施の形態に係る空気調和機を図面に基づいて詳細に説明する。なお、この実施の形態によりこの発明が限定されるものではない。
【００１１】
実施の形態１．
図１は、本発明の実施の形態１に係る空気調和機の電装系統の構成の一例を示す図である。図１に示す空気調和機は、室内機１と、室外機２とを備え、室内機１と室外機２との間にはブレーカ４が配されている。室内機１及び室外機２は、ブレーカ４を介して交流電源３に接続されている。ブレーカ４は、設定値を超える大電流が流れると、交流電源３を空気調和機から遮断する。
【００１２】
室内機１は、ブレーカ４に接続されたダイオードブリッジ２２と、ダイオードブリッジ２２に接続された室内制御部２１と、交流電源３とダイオードブリッジ２２との間のＮ母線に接続された室内通信部２３と、室内制御部２１に接続されたリレーａ動作制御部５とを備える。なお、室内制御部２１は、一例としてマイコンによって形成される。
【００１３】
ダイオードブリッジ２２は、交流電源３からの電力を整流する。室内制御部２１は、ダイオードブリッジ２２から電力が供給されて室内機１の動作を制御し、リレーａ動作制御部５にリレーａ指令信号を出力する。室内通信部２３は、抵抗素子、ダイオード及びフォトカプラを有し、室外機２に設けられた室外通信部２０と通信を行う。リレーａ動作制御部５は、室内制御部２１からのリレーａ指令信号によって室外機２に設けられたリレーａ動作部６のオンオフを制御する。
【００１４】
室外機２は、ブレーカ４に接続されたゼロクロス検出回路１５と、ゼロクロス検出回路１５の後段に配された通信回路電源１９と、ゼロクロス検出回路１５と通信回路電源１９との間のＰ母線上に配されたリレー部２４と、通信回路電源１９の後段に配されたダイオードブリッジ１１と、通信回路電源１９とダイオードブリッジ１１との間のＰ母線上に配されたリアクタ１０と、ダイオードブリッジ１１の後段に配された平滑コンデンサ１２と、平滑コンデンサ１２の後段に配されたＤＣＤＣコンバータ１７と、ＤＣＤＣコンバータ１７の後段に配された母線電圧検出回路１６と、母線電圧検出回路１６の後段に配されたインバータ回路１３と、インバータ回路１３の出力が接続されたファン１４と、ＤＣＤＣコンバータ１７が接続された室外制御部１８と、室外制御部１８及び通信回路電源１９が接続された室外通信部２０と、室外制御部１８に接続されたリレーｂ動作制御部７とを備える。また、リレー部２４は、リレーａ動作制御部５がオンオフを制御し、第１のリレーであるリレーａ動作部６と、リレーｂ動作制御部７がオンオフを制御し、第２のリレーであるリレーｂ動作部８と、リレーａ動作部６に直列接続された突入電流防止抵抗９とを備える。
【００１５】
ゼロクロス検出回路１５は、入力信号がゼロレベルを交差したことを検出すると、このタイミングでゼロクロス信号を出力する。なお、ゼロクロス信号はゼロクロスの検出時に生成される信号であり、一例として、ゼロクロスの検出時に生成されて出力されるパルス信号である。通信回路電源１９は、室外通信部２０に電力を供給する。ダイオードブリッジ１１は、通信回路電源１９の後段の電力を整流する。リアクタ１０は、直流リアクトルである。平滑コンデンサ１２は、ダイオードブリッジ１１の後段の電圧を平滑化する。ＤＣＤＣコンバータ１７は、平滑コンデンサ１２によって平滑化された電圧を変換して室外制御部１８に出力する。母線電圧検出回路１６は、ＤＣＤＣコンバータ１７の後段において母線電圧を検出して母線電圧検出値を出力する。インバータ回路１３は、直流を三相交流に変換する。ファン１４は、インバータ回路１３の出力である三相交流を入力として図示しないモータが駆動されることで動作する。室外制御部１８は、ＤＣＤＣコンバータ１７によって変換された電圧によって動作し、ゼロクロス検出回路１５からのゼロクロス信号が入力され、室外通信部２０との間でシリアル信号を入出力し、母線電圧検出回路１６からの母線電圧検出値が入力され、リレーｂ動作制御部７にリレーｂ指令信号を出力する。なお、室外制御部１８は、一例としてマイコンによって形成される。室外通信部２０は、通信回路電源１９から供給される電力によって動作し、室外制御部１８との間でシリアル信号を入出力し、室内機１の室内通信部２３と通信する。
【００１６】
ここで、図１に示す空気調和機の起動動作について説明する。まず、交流電源３からの電力の供給を開始すると、この電力はブレーカ４を介して室内機１に供給される。しかしながら、リレーａ動作部６及びリレーｂ動作部８の双方がオフしているので、室外機２には電力が供給されない。そこで、室内機１の室内制御部２１は、リレーａ動作制御部５にリレーａ指令信号を出力し、リレーａ動作部６をオンする。リレーａ動作部６がオンすると、電流は突入電流防止抵抗９を介してリアクタ１０、ダイオードブリッジ１１及び平滑コンデンサ１２に流れて母線電圧が生成される。母線電圧が生成されると、ＤＣＤＣコンバータ１７は変換した電圧を室外制御部１８に出力し、室外制御部１８が動作を開始する。動作を開始した室外制御部１８は、リレーｂ動作制御部７にリレーｂ指令信号を出力し、リレーｂ動作部８をオンする。このようにして、インバータ回路１３に電力が供給されてファン１４が動作する。
【００１７】
しかしながら、室外機２の周囲に外風が発生した場合には、外風によってファン１４が回転することで逆起電力が生じ、この逆起電力によって母線電圧が生成される。このように生成された母線電圧により、ＤＣＤＣコンバータ１７は変換した電圧を室外制御部１８に出力し、室外制御部１８が動作を開始する。動作を開始した室外制御部１８は、リレーｂ動作制御部７にリレーｂ指令信号を出力し、リレーｂ動作部８をオンする。このように動作を開始すると、突入電流防止抵抗９に直列接続されたリレーａ動作部６がオンすることなくリレーｂ動作部８がオンしてしまうため、突入電流を抑えることができずに大電流が発生し、この大電流によってブレーカ４が作動してしまい、通常の起動動作を行うことができない。
【００１８】
図２は、本実施の形態に係る空気調和機の室外制御部１８の構成の一例を示す図である。図２に示す室外制御部１８は、ゼロクロス信号が入力されるゼロクロス信号入力部１００と、ゼロクロス信号入力部１００に入力されたゼロクロス信号の有無を判定するゼロクロス信号有無判定部１０１と、ゼロクロス信号有無判定部１０１の判定結果が入力されてリレーｂ指令信号を生成するリレーｂ指令信号生成部１０２と、リレーｂ指令信号生成部１０２が生成したリレーｂ指令信号を出力するリレーｂ指令信号出力部１０３とを備える。
【００１９】
図３は、本実施の形態に係る空気調和機の動作を示すフローチャートである。母線電圧が生成されるまでは上記した起動動作と同様に動作する。図３に示すフローチャートでは、母線電圧が生成されると処理を開始する。まず、母線電圧が生成されるとＤＣＤＣコンバータ１７が動作を開始し（Ｓ１１）、動作を開始したＤＣＤＣコンバータ１７は、変換した電圧を室外制御部１８に出力して室外制御部１８が動作を開始する（Ｓ１２）。動作を開始した室外制御部１８は、ゼロクロス検出回路１５からのゼロクロス信号の有無を判定する（Ｓ１３）。ゼロクロス信号がない場合（Ｓ１３：Ｎｏ）には、リレーｂ動作制御部７にリレーｂ指令信号を出力することなく判定を継続する。ゼロクロス信号がある場合（Ｓ１３：Ｙｅｓ）には、リレーｂ動作制御部７にリレーｂ指令信号を出力し、リレーｂ動作部８をオンして（Ｓ１４）、正常運転（Ｓ１５）に移行する。このようにして、インバータ回路１３に電力が供給されてファン１４が動作する。
【００２０】
外風が発生した場合には、外風によってファン１４が回転することで逆起電力が生じ、この逆起電力によって母線電圧が生成されてＤＣＤＣコンバータ１７が動作を開始し（Ｓ１１）、室外制御部１８も動作を開始する（Ｓ１２）。ここで、動作を開始した室外制御部１８は、ゼロクロス検出回路１５からのゼロクロス信号の有無を判定する（Ｓ１３）と、逆起電力によって母線電圧が生成された場合にはゼロクロス信号がない（Ｓ１３：Ｎｏ）ので、リレーｂ動作制御部７にリレーｂ指令信号を出力することなく判定を継続する。
【００２１】
以上説明したように、室外制御部１８が、交流電源３から第１のリレーであるリレーａ動作部６を経由して電力が供給されている場合に第２のリレーであるリレーｂ動作部８をオンすることで、外風に起因する逆起電力によって正常な起動動作を経ることなくオンすることによる突入電流を低減することができ、ブレーカを作動させることなく起動させることが可能な空気調和機を得ることができる。
【００２２】
実施の形態２．
実施の形態１ではゼロクロス信号によって空気調和機を起動すべきか否かの判定を行う形態について説明したが、本発明はこれに限定されるものではない。本実施の形態においては、室外通信部２０が出力するシリアル信号の有無によって判定する形態について説明する。
【００２３】
図４は、本実施の形態に係る空気調和機の室外制御部１８ａの構成の一例を示す図である。図４に示す室外制御部１８ａは、シリアル信号が入力されるシリアル信号入力部２００と、シリアル信号入力部２００に入力されたシリアル信号の有無を判定するシリアル信号有無判定部２０１と、シリアル信号有無判定部２０１の判定結果が入力されてリレーｂ指令信号を生成するリレーｂ指令信号生成部２０２と、リレーｂ指令信号生成部２０２が生成したリレーｂ指令信号を出力するリレーｂ指令信号出力部２０３とを備える。
【００２４】
図５は、本実施の形態に係る空気調和機の動作を示すフローチャートである。なお、図５に示すフローチャートにおいて図３に示すフローチャートの処理と同じ処理には同じ符号を付している。図３に示すフローチャートと同様に、母線電圧が生成されると処理を開始する。
【００２５】
まず、母線電圧が生成されるとＤＣＤＣコンバータ１７が動作を開始し（Ｓ１１）、動作を開始したＤＣＤＣコンバータ１７は、変換した電圧を室外制御部１８ａに出力して室外制御部１８ａが動作を開始する（Ｓ１２）。動作を開始した室外制御部１８ａは、室外通信部２０からのシリアル信号の有無を判定する。すなわち、室内機１と室外機２との間のシリアル通信の成立を判定する（Ｓ２０）。シリアル通信が成立していない場合（Ｓ２０：Ｎｏ）には、リレーｂ動作制御部７にリレーｂ指令信号を出力することなく判定を継続する。シリアル通信が成立している場合（Ｓ２０：Ｙｅｓ）には、リレーｂ動作制御部７にリレーｂ指令信号を出力し、リレーｂ動作部８をオンして（Ｓ１４）、正常運転（Ｓ１５）に移行する。このようにして、インバータ回路１３に電力が供給されてファン１４が動作する。
【００２６】
外風が発生した場合には、外風によってファン１４が回転することで逆起電力が生じ、この逆起電力によって母線電圧が生成されてＤＣＤＣコンバータ１７が動作を開始し（Ｓ１１）、室外制御部１８ａも動作を開始する（Ｓ１２）。ここで、動作を開始した室外制御部１８ａは、シリアル通信の成立を判定する（Ｓ２０）と、逆起電力によって母線電圧が生成された場合には室外通信部２０からのシリアル信号が入力されておらず、シリアル通信が成立していない（Ｓ２０：Ｎｏ）ので、リレーｂ動作制御部７にリレーｂ指令信号を出力することなく判定を継続する。
【００２７】
以上説明したように室外制御部１８ａが、交流電源３から第１のリレーであるリレーａ動作部６を経由して電力が供給されている場合に第２のリレーであるリレーｂ動作部８をオンすることで、外風に起因する逆起電力によって正常な起動動作を経ることなくオンすることによる突入電流を低減することができ、ブレーカを作動させることなく起動させることが可能な空気調和機を得ることができる。
【００２８】
実施の形態３．
実施の形態１ではゼロクロス信号のみによって空気調和機を起動すべきか否かの判定を行い、実施の形態２ではシリアル信号のみによって空気調和機を起動すべきか否かの判定を行う形態について説明したが本発明はこれらに限定されるものではない。本実施の形態においては、ゼロクロス信号及びシリアル信号の双方の有無によって空気調和機を起動すべきか否かの判定を行う形態について説明する。
【００２９】
図６は、本実施の形態に係る空気調和機の室外制御部１８ｂの構成の一例を示す図である。図６に示す室外制御部１８ｂは、ゼロクロス信号が入力されるゼロクロス信号入力部１００と、ゼロクロス信号入力部１００に入力されたゼロクロス信号の有無を判定するゼロクロス信号有無判定部１０１と、シリアル信号が入力されるシリアル信号入力部２００と、シリアル信号入力部２００に入力されたシリアル信号の有無を判定するシリアル信号有無判定部２０１と、ゼロクロス信号有無判定部１０１の判定結果及びシリアル信号有無判定部２０１の判定結果が入力されてリレーｂ動作部８をオンすべきか否かを判定するリレーｂ起動判定部３００と、リレーｂ起動判定部３００の判定結果が入力されてリレーｂ指令信号を生成するリレーｂ指令信号生成部３０１と、リレーｂ指令信号生成部３０１が生成したリレーｂ指令信号を出力するリレーｂ指令信号出力部３０２とを備える。なお、図６において、図２，４と同じ構成要素には同じ符号を付している。
【００３０】
図７は、本実施の形態に係る空気調和機の動作を示すフローチャートである。なお、図７に示すフローチャートにおいて図３，５に示すフローチャートの処理と同じ処理には同じ符号を付している。図７に示すフローチャートにおいても、図３，５に示すフローチャートと同様に、母線電圧が生成されると処理を開始する。まず、母線電圧が生成されるとＤＣＤＣコンバータ１７が動作を開始し（Ｓ１１）、動作を開始したＤＣＤＣコンバータ１７は、変換した電圧を室外制御部１８ｂに出力して室外制御部１８ｂが動作を開始する（Ｓ１２）。動作を開始した室外制御部１８ｂは、ゼロクロス検出回路１５からのゼロクロス信号の有無を判定する（Ｓ１３）。ゼロクロス信号がない場合（Ｓ１３：Ｎｏ）には、リレーｂ動作制御部７にリレーｂ指令信号を出力することなく判定を継続する。ゼロクロス信号がある場合（Ｓ１３：Ｙｅｓ）には、室外通信部２０からのシリアル信号の有無を判定する。すなわち、室内機１との間のシリアル通信の成立を判定する（Ｓ２０）。シリアル通信が成立していない場合（Ｓ２０：Ｎｏ）には、リレーｂ動作制御部７にリレーｂ指令信号を出力することなくＳ１３に戻り、ゼロクロス信号の有無を判定する（Ｓ１３）。シリアル通信が成立している場合（Ｓ２０：Ｙｅｓ）には、リレーｂ動作制御部７にリレーｂ指令信号を出力し、リレーｂ動作部８をオンして（Ｓ１４）、正常運転（Ｓ１５）に移行する。
【００３１】
本実施の形態にて説明したように、ゼロクロス信号及びシリアル信号の双方の有無を判定することで、ゼロクロス信号及びシリアル信号のいずれかが誤発生した場合であっても誤動作させず、外風に起因する逆起電力によって正常な起動動作を経ることなくオンすることによる突入電流を低減することができ、ブレーカを作動させることなく起動させることが可能な空気調和機を得ることができる。
【００３２】
なお、以上実施の形態１から３にて説明した空気調和機は、交流電源からの突入電流を防止する突入電流防止抵抗と、突入電流防止抵抗に直列接続された第１のリレーと、突入電流防止抵抗及び第１のリレーに並列接続された第２のリレーと、第１のリレーのオンオフを制御する室内制御部と、第２のリレーのオンオフを制御する室外制御部とを備え、室外制御部は、交流電源から第１のリレーであるリレーａ動作部を経由して電力が供給されている場合に第２のリレーであるリレーｂ動作部をオンする。そして、実施の形態１では、室外制御部にゼロクロス信号が入力され、実施の形態２では、室外制御部に室外通信部からのシリアル信号が入力され、実施の形態３では、室外制御部にゼロクロス信号及び室外通信部からのシリアル信号の双方が入力され、交流電源から第１のリレーであるリレーａ動作部を経由して電力が供給されているか否かの判定を行う形態について説明したものである。
【００３３】
実施の形態４．
実施の形態１から３ではゼロクロス信号及びシリアル信号の一方又は双方によって空気調和機を起動すべきか否かの判定を行う形態について説明したが本発明はこれらに限定されるものではない。本実施の形態においては、母線電圧検出値によって判定する形態について説明する。
【００３４】
図８は、本実施の形態に係る空気調和機の室外制御部１８ｃの構成の一例を示す図である。図８に示す室外制御部１８ｃは、母線電圧検出値が入力される母線電圧検出値入力部４００と、母線電圧設定値が記憶された母線電圧設定値記憶部４０１と、母線電圧検出値入力部４００に入力された母線電圧検出値と母線電圧設定値記憶部４０１に記憶された母線電圧設定値との大小判定を行う母線電圧大小判定部４０２と、母線電圧大小判定部４０２の判定結果が入力されてリレーｂ指令信号を生成するリレーｂ指令信号生成部４０３と、リレーｂ指令信号生成部４０３が生成したリレーｂ指令信号を出力するリレーｂ指令信号出力部４０４とを備える。
【００３５】
図９は、本実施の形態に係る空気調和機の動作を示すフローチャートである。なお、図９に示すフローチャートにおいて図３に示すフローチャートの処理と同じ処理には同じ符号を付している。図３に示すフローチャートと同様に、母線電圧が生成されると処理を開始する。まず、母線電圧が生成されるとＤＣＤＣコンバータ１７が動作を開始し（Ｓ１１）、動作を開始したＤＣＤＣコンバータ１７は、変換した電圧を室外制御部１８ｃに出力して室外制御部１８ｃが動作を開始する（Ｓ１２）。動作を開始した室外制御部１８ｃは、母線電圧検出回路１６が検出した母線電圧検出値が母線電圧設定値以上であるか否かを判定する（Ｓ３０）。なお、ここでは、母線電圧設定値を２００Ｖとしている。母線電圧検出値が母線電圧設定値以上でない場合（Ｓ３０：Ｎｏ）には、リレーｂ動作制御部７にリレーｂ指令信号を出力することなく判定を継続する。母線電圧検出値が母線電圧設定値以上である場合（Ｓ３０：Ｙｅｓ）には、リレーｂ動作制御部７にリレーｂ指令信号を出力し、リレーｂ動作部８をオンして（Ｓ１４）、正常運転（Ｓ１５）に移行する。このようにして、インバータ回路１３に電力が供給されてファン１４が動作する。
【００３６】
外風が発生した場合には、外風によってファン１４が回転することで逆起電力が生じ、この逆起電力によって母線電圧が生成されてＤＣＤＣコンバータ１７が動作を開始し（Ｓ１１）、室外制御部１８ｃも動作を開始する（Ｓ１２）。ここで、動作を開始した室外制御部１８ｃが、母線電圧検出値が母線電圧設定値以上であるか否かを判定する（Ｓ３０）と、母線電圧が母線電圧設定値以上でない場合には逆起電力によって母線電圧が生成されたとし、リレーｂ動作部８をオンさせず、母線電圧が母線電圧設定値以上である場合には交流電源３から供給された電力によって母線電圧が生成されたとし、正常な起動が可能であるためリレーｂ動作部８をオンして動作を開始する。
【００３７】
以上説明したように動作させることで、母線電圧の生成が交流電源３から供給された電力によるものか、又は母線電圧の生成が外風に起因する逆起電力によるものかを切り分けて外風に起因する逆起電力によっては起動させないように制御することが可能な空気調和機を得ることができる。
【００３８】
なお、上記説明した実施の形態１から４において、室外制御部１８，１８ａ，１８ｂ，１８ｃは、少なくともプロセッサと、メモリと、入力部と、出力部とを備え、各装置の動作はソフトウエアにより実現することができる。図１０は、実施の形態１から４における室外制御部を実現するハードウエアの一般的な構成の一例を示す図である。図１０に示す装置は、プロセッサ５０１、メモリ５０２、入力部５０３及び出力部５０４を備え、プロセッサ５０１は受信したデータを用いてソフトウエアによる演算及び制御を行い、メモリ５０２は受信したデータ又はプロセッサ５０１が演算及び制御を行うに際して必要なデータ及びソフトウエアの記憶を行う。入力部５０３は、ゼロクロス信号入力部１００、シリアル信号入力部２００、母線電圧検出値入力部４００に相当する。出力部５０４は、リレーｂ指令信号出力部１０３，２０３，３０２，４０４に相当する。なお、プロセッサ５０１、メモリ５０２、入力部５０３及び出力部５０４は、各々複数設けられていてもよい。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１  室内機、２  室外機、３  交流電源、４  ブレーカ、５  リレーａ動作制御部、６  リレーａ動作部、７  リレーｂ動作制御部、８  リレーｂ動作部、９  突入電流防止抵抗、１０  リアクタ、１１，２２  ダイオードブリッジ、１２  平滑コンデンサ、１３  インバータ回路、１４  ファン、１５  ゼロクロス検出回路、１６  母線電圧検出回路、１７  ＤＣＤＣコンバータ、１８，１８ａ，１８ｂ，１８ｃ  室外制御部、１９  通信回路電源、２０  室外通信部、２１  室内制御部、２３  室内通信部、２４  リレー部、１００  ゼロクロス信号入力部、１０１  ゼロクロス信号有無判定部、１０２，２０２，３０１，４０３  リレーｂ指令信号生成部、１０３，２０３，３０２，４０４  リレーｂ指令信号出力部、２００  シリアル信号入力部、２０１  シリアル信号有無判定部、３００  リレーｂ起動判定部、４００  母線電圧検出値入力部、４０１  母線電圧設定値記憶部、４０２  母線電圧大小判定部、５０１  プロセッサ、５０２  メモリ、５０３  入力部、５０４  出力部。
【図１】
2017119084.tif 000003
【図２】
2017119084.tif 000004
【図３】
2017119084.tif 000005
【図４】
2017119084.tif 000006
【図５】
2017119084.tif 000007
【図６】
2017119084.tif 000008
【図７】
2017119084.tif 000009
【図８】
2017119084.tif 000010
【図９】
2017119084.tif 000011
【図１０】
2017119084.tif 000012
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
交流電源からの突入電流を防止する突入電流防止抵抗と、
前記突入電流防止抵抗に直列接続された第１のリレーと、
前記突入電流防止抵抗及び前記第１のリレーに並列接続された第２のリレーと、
前記第１のリレーのオンオフを制御する室内制御部と、
前記第２のリレーのオンオフを制御する室外制御部と、
前記交流電源からの入力信号がゼロレベルを交差したことを検出するとゼロクロス信号を出力するゼロクロス検出回路と、
前記室外制御部との間でシリアル信号を入出力する室外通信部と、
を備え、
前記室外制御部は、前記交流電源から前記第１のリレーを経由して電力が供給されているか否かを判定し、前記交流電源から前記第１のリレーを経由して電力が供給されていると判定した場合に前記第２のリレーをオンし、前記ゼロクロス信号を検出する、または前記ゼロクロス信号および前記シリアル信号を検出すると、前記交流電源から前記第１のリレーを経由して電力が供給されていると判定することを特徴とする空気調和機。
【請求項２】
母線電圧を検出して母線電圧検出値を出力する母線電圧検出回路を備え、
前記室外制御部は、前記母線電圧検出値が設定値以上である場合に前記交流電源から前記第１のリレーを経由して電力が供給されていると判定することを特徴とする請求項１に記載の空気調和機。
【手続補正２】
【補正対象書類名】明細書
【補正対象項目名】０００７
【補正方法】変更
【補正の内容】
【０００７】
上述した課題を解決し、目的を達成するために、本発明に係る空気調和機は、交流電源からの突入電流を防止する突入電流防止抵抗と、この突入電流防止抵抗に直列接続された第１のリレーと、突入電流防止抵抗及び第１のリレーに並列接続された第２のリレーと、第１のリレーのオンオフを制御する室内制御部と、第２のリレーのオンオフを制御する室外制御部と、交流電源からの入力信号がゼロレベルを交差したことを検出するとゼロクロス信号を出力するゼロクロス検出回路と、室外制御部との間でシリアル信号を入出力する室外通信部と、を備え、室外制御部は、交流電源から第１のリレーを経由して電力が供給されているか否かを判定し、交流電源から第１のリレーを経由して電力が供給されていると判定した場合に第２のリレーをオンし、ゼロクロス信号を検出する、またはシリアル信号およびシリアル信号を検出すると、交流電源から第１のリレーを経由して電力が供給されていると判定することを特徴とする。
【国際調査報告】
2017119084.tif 000013
2017119084.tif 000014
2017119084.tif 000015
2017119084.tif 000016